Podtech/llm-jp-corpus-v4-ja_patent huggingface dataset:
(57)【要約】      （修正有）【課題】首の部分が前後に回るハンガーを提供する。【解決手段】ハンガーの首の部分１と肩の部分２を分離させ、回転軸３で首の部分１が回るよう肩の部分２に軸支させる。衣服をハンガーに掛けたまま首の部分１を後ろに回すと、フック４がじゃまにならずそこに顔をだすと衣服を着たようになり、ハンガーを持ったまま品定めが出来る。また、パイプに掛けてある女性の衣服の前に鏡を取り付ければ、試着室に行かなくても好きな衣服を選ぶことが出来る。【選択図】図１
0003188721.tif 000002
【実用新案登録請求の範囲】
【請求項１】
ハンガーの首の部分と肩の部分を分離させ、首の部分が回るよう肩の部分に軸支させ、衣服をこのハンガーに掛けたまま首の部分を後ろに回すと、従来のフック等がじゃまにならずそこに顔をだすと衣服を着たようになる、首の部分が前後に回るハンガー。
【考案の詳細な説明】
【技術分野】
【０００１】  本考案は、ハンガーの首の部分が肩の付け根から回る事を特徴とするハンガーです。
【背景技術】
【０００２】従来のハンガーは、肩の部分と首の部分が一体に成形されている為、試着する時に衣服をハンガーから外し体に当てるかして試着しなければならなかったが、とくに女性の衣服はカラフルで有るため何着も試着室に持ち込み品定めする事が多い。
【考案が解決しようとする課題】
【０００３】ハンガーの首の部分を肩の部分から切り離し、首の部分が肩の部分から前後に回るように軸支させる。
【課題を解決するための手段】
【０００４】首の部分の下方に丸い穴をあけ、肩の部分に首の部分の下方にあけた穴に入る丸い突起を設け、首の部分の下方にあけた穴に差し込み、首部分と肩の部分が前後に回るよう軸支させる。
【考案の効果】
【０００５】ハンガーの首の部分が前後に回ることで、パイプに掛けてある衣服を掛けたハンガーを外し、ハンガーの首の部分を後ろに倒し、体の前に衣服をかざし鏡をみれば試着したように見える。又自室のクローゼットに掛けてある衣服もさあデートの時すぐ選ぶことが出来る事と、この考案であれば試着室に何着も衣服を持ち込まなくてもその場に鏡があれば好みの衣服がわかるし、其の場で取っ替え引き換え品定めが出来る。
【図面の簡単な説明】
【０００６】
【図１】本考案の首の部分が肩の部分から回るハンガーの正面図である。
【図２】本考案のハンガーに婦人服の衣服を掛けた正面図である。
【図３】本考案の首の部分を後ろに回し、体の前に衣服をかざしハンガーの上から鏡を見る時の正面図である。
【図４】本考案のハンガーの首の部分を後ろに回した時の背面図である。
【考案を実施するための形態】
【０００７】本考案に係るハンガーについて説明するが、図１のハンガーの首の部分１を肩の部分２から切り離し３にて軸支させるが、図２のように衣服５を掛けた後フック４と首の部分１を図４のように後ろに回すと首の部分１とフック４が隠れるため、衣服を掛けたハンガーを図３のように前にかざせば、服を試着した様子を鏡で見る事が出来る。
【符号の説明】
【０００７】  １  ハンガーの首の部分
２  ハンガーの肩の部分
３  ハンガーの首の部分が前後に回る回転軸
４  ハンガーをパイプに掛けるフック
５  ハンガーに掛けた衣服
【図１】
0003188721.tif 000003
【図２】
0003188721.tif 000004
【図３】
0003188721.tif 000005
【図４】
0003188721.tif 000006
(57)【要約】      （修正有）【課題】多少の段差があっても、その段差にけつまずくことのない転倒防止用靴したを提供する。【解決手段】使用者の足より多少小さいサイズの靴下であって、靴下本体１の足の爪先覆い部２と足覆い部３と踵覆い部７とを、やや伸縮可能な素材で編組し、爪先覆い部２、足覆い部３そして足首覆い部５により取り囲まれる足甲覆い部４を伸縮不能な素材で構成する。【選択図】図７
0003188739.tif 000002
【実用新案登録請求の範囲】
【請求項１】
使用者の足より多少小さいサイズの靴下であって、
靴下本体（１）の足の爪先覆い部（２）と足覆い部（３）と踵覆い部（７）とを、やや伸縮可能な素材で編組し、
前記爪先覆い部（２）、足覆い部（３）そして足首覆い部（５）により取り囲まれる足甲覆い部（４）を伸縮しずらい編み方で形成された素材で構成した
ことを特徴とする転倒防止用靴下。
【請求項２】
足の指先が、母趾袋部（２ａ）と他の４本とを一体に包む大袋部（２ｂ）が分け目部（２ｃ）によって別々に形成されていることを特徴とする請求項１記載の転倒防止用靴下。  
【請求項３】
踵覆い部（７）が足首覆い部（５）より、後方に形成されていることを特徴とする請求項１記載の転倒防止用靴下。
【考案の詳細な説明】
【技術分野】
【０００１】
この考案は、転倒防止用靴下に関するものである。
【背景技術】
【０００２】
従来、高齢者や高齢者でなくても身体が不自由な人にとっては、歩行することが困難となっている。これは野外に限らず、室内においても困難であった。
【０００３】
これは、少しの段差に爪先を引っ掛けてしまい転倒してしまうことがあり、歩行を確実に行なうためには、室内をすべてバリヤフリーにして歩行し易くしている。
【０００４】
また、この危険を避けるためには、種々の靴下が考案され、販売されている。例えば、特許文献１のように。
【先行技術文献】
【特許文献】
【０００５】
【特許文献１】特開２０１２−２４６５７９号公報
【０００６】
しかしながら、この靴下は、上記のような高齢者や高齢者でなくても身体が不自由な人が、容易に履くことのできる（即ち，足に装着しやすい）靴下であった。
【考案の概要】
【考案が解決しようとする課題】
【０００７】
そこで、この考案は、多少の段差があっても、その段差にけつまずくことのない転倒防止用靴したを提供・開発するものである。
【課題を解決するための手段】
【０００８】
上記の課題を解決するため、使用者の足より多少小さめのサイズの靴下であって、靴下本体の足の爪先覆い部と足覆い部と踵覆い部とを、やや伸縮可能な素材で編組し、前記爪先覆い部、足覆い部そして足首覆い部により取り囲まれる足甲覆い部を伸縮しずらい編み方で形成された素材で構成した転倒防止用靴下を提供・開発するものである。
【考案の効果】
【０００９】
この考案によると、多少小さめのサイズの靴下であることと、足甲覆い部（４）の素材が伸縮不能であるため、足の爪先部が上方に向いているため、段差に爪先が突き当たることなく、転倒を防止できるという効果を奏する。
【００１０】
また、この考案によると、足の指先が、母趾袋部（２ａ）と他の４本とが、大袋部（２ｂ）に分かれて形成されていることにより、母趾袋部（２ａ）と大袋部（２ｂ）と分け目部（２ｃ）とが、足甲覆い部（４）に後方に引っ張られることにより、足の爪先は上方に向く結果、足の爪先が段差に衝突することなく転倒を防止できる効果を有する。
【００１１】
さらに、靴下本体（１）の踵覆い部（７）が足首覆い部（５）より、後方に形成されていることにより、該足首覆い部（５）を境に、足裏方向と踵方向とに足覆い部（３）が分散され、足甲覆い部（４）の効力を維持できる等極めて有益なる効果を奏するものである。
【図面の簡単な説明】
【００１２】
【図１】この考案の一実施例を示す正面図である。
【図２】この考案の一実施例を示す平面図である。
【図３】この考案の一実施例を示す底面図である。
【図４】この考案の一実施例を示す側面図である。
【図５】この考案の他の実施例を示す正面図である。
【図６】この考案の一実施例を示す斜視図である。
【図７】この考案の使用状態を示す一部欠截斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
次に、この考案の一実施例を図面に基づいて詳述すると、使用者の足より多少小さいサイズの靴下であって、靴下本体（１）の足の爪先覆い部（２）と足覆い部（３）と踵覆い部（７）とを、やや伸縮可能な素材で編組し、前記爪先覆い部（２）、足覆い部（３）そして足首覆い部（５）により取り囲まれる足甲覆い部（４）を伸縮しずらい編み方で形成された素材で構成したことを特徴とする転倒防止用靴下から構成されるものである。
【００１５】
また、足の指先が、母趾袋部（２ａ）と他の４本とを一体に包む大袋部（２ｂ）とが分け目部（２ｃ）によって別々に形成されていることにより、足の指先を自由に動かすことができると共に、足の爪先覆い部（２）が２ケ所に分けて引っ張られることにより効果が大きい。
【００１６】
さらに、靴下本体（１）の踵覆い部（７）が、足首覆い部（５）より、後方に形成されていることにより、また、足首覆い部（５）は、足首前面下部（５ａ）に比べて、足首後面下部（５ｂ）をより伸縮可能に編組している。
【００１７】
なお、靴下本体（１）の履き口部（６）はゴム編み状に形成されており、足を挿入しやすく形成されている。
【００１８】
また、この考案の他の実施例によると、靴下本体（１）の足の爪先覆い部（２）は、足の指先の母趾と他の４本とを一体に形成したものであっても、もちろんよいものである。  
【００１９】
さらに、靴下本体（１）の足底覆い部（３）の左右中央部には、それぞれ収縮皺部（３ａ）（３ａ′）を形成し、足底覆い部（３）が伸びることを防止するよう構成してもよい。
【産業上の利用可能性】
【００２０】
この考案によると、転倒防止用靴下の技術を確立し、実施・販売することにより産業上の利用可能性がある。
【符号の説明】
【００２１】
１  靴下本体
２  足の爪先覆い部
２ａ  母趾袋部
２ｂ  大袋部
２ｃ  分け目部
３  足底覆い部
４  足甲覆い部
５  足首覆い部
５ａ  足首前面下部
５ｂ  足首後面下部
６  履き口部
７  踵覆い部
【図１】
0003188739.tif 000003
【図２】
0003188739.tif 000004
【図３】
0003188739.tif 000005
【図４】
0003188739.tif 000006
【図５】
0003188739.tif 000007
【図６】
0003188739.tif 000008
【図７】
0003188739.tif 000009
(57)【要約】      （修正有）【課題】積み重ね可能で、積み重ね状態からの分離が容易になるように、積み重ねた容器の密着を回避する構造において、外観に境界箇所が確認できる凹凸形状が存在しない飲料用容器を提供する。【解決手段】上方開口部が大径で下方が小径の積み重ね可能な飲料用容器であって、積み重ねられる上段容器Ａが挿入される範囲において、外周面を上下二か所の係止湾曲膨出部４，５を備える連続曲線回転体面に形成し、内周面を前記係止湾曲膨出部４，５と一致する内径の湾曲膨出受部６，７を備える連続曲線回転体面に形成してなる。【選択図】図３
0003188634.tif 000002
【実用新案登録請求の範囲】
【請求項１】
上方開口部が大径で下方が小径の積み重ね可能な飲料用容器であって、積み重ねられる上段容器が挿入される範囲において、外周面を上下二か所の係止湾曲膨出部を備える連続曲線回転体面に形成し、内周面を前記係止湾曲部と一致する内径の湾曲膨出受部を備える連続曲線回転体面に形成してなることを特徴とする飲料用容器。
【請求項２】
飲料用容器がステンレス製真空二重構造の容器である請求項１記載の飲料用容器。
【請求項３】
内周面における上方湾曲膨出受部を、ステンレス製真空二重構造の容器における上縁接合部の直下の二重壁上端箇所に形成してなる請求項２記載の飲料用容器。
【考案の詳細な説明】
【技術分野】
【０００１】
本考案は、積み重ね構造の飲料用容器に関するものである。
【背景技術】
【０００２】
コップのような飲料用容器の形状としては、上方が末広がり形状となって積み重ね可能なものが広く知られている。しかし上段容器を下段容器内に差し入れて積み重ねた際に、上段容器の外側面と下段容器の内側面が密着して、分離させるのが困難な場合がある。
【０００３】
この対応として上段容器の外側面と下段容器の内側面が密着しないように、容器中間部分に、縮径する段差部を内外に形成し、当該段差部で係止される構造（特許文献１）、外周面に突出部を設け、当該突出部が他方容器の縁部に載置される構造（特許文献２）、容器内底方内周面に縦突条を設け、当該突部上に上段容器の底部を載置する構造（特許文献３）などが知られている。
【先行技術文献】
【特許文献】
【０００４】
【特許文献１】登録実用新案第３０２０７５９号公報。
【特許文献２】特開２０００−３０２１３２号公報。
【特許文献３】登録実用新案第３１８３８４１号公報。
【考案の概要】
【考案が解決しようとする課題】
【０００５】
前記した従前の積み重ね可能な飲料用容器における密着回避構造は、段差部並びに突出部は外観から視認され、内周面の縦突条も喫飲時に視認され、美観上優れたものと言えない。
【０００６】
また前記の段差部及び突出部並びに縦突条は、容器外周面又は内周面と滑らかに連続していないので、当該境界部分に汚れが溜まりやすく、且つ洗浄し難い。
【０００７】
そこで本考案は、積み重ね可能であって、積み重ね時にも密着せず、美観上も優れ且つ洗浄容易な新規な飲料用容器を提案したものである。
【課題を解決するための手段】
【０００８】
本考案に係る飲料用容器は、上方開口部が大径で下方が小径の積み重ね可能な飲料用容器であって、積み重ねられる上段容器が挿入される範囲において、外周面を上下二か所の係止湾曲膨出部を備える連続曲線回転体面に形成し、内周面を前記係止湾曲部と一致する内径の湾曲膨出受部を備える連続曲線回転体面に形成してなることを特徴とするものである。
【０００９】
従って上記飲料用容器を積み重ねると、上段容器の外周面における係止湾曲膨出部が、下段容器の内周面の係止湾曲部と当接して係止されることになり、上下段の容器は内外周面が密着せずに、上下二か所の周面部分のみが当接することになるので、積み重ねた上下容器を容易に分離できる。また容器の内外周面は、連続曲線回転体面で形成されているために、内外周面は滑らかであり、汚れが溜まる箇所が無く、洗浄が容易である。
【００１０】
また本考案の請求項２に係る飲料用容器は、飲料用容器がステンレス製真空二重構造の容器であり、また請求項３記載に係る飲料用容器は、内周面における上方湾曲膨出受部を、ステンレス製真空二重構造の容器における上縁接合部の直下の二重壁上端箇所に形成してなるものである。
【００１１】
而して所謂マグボトルと称される保温保冷容器において、容器の積み重ね化を実現できる。
【考案の効果】
【００１２】
本考案は上記のとおりで、容器の内外周面を連続曲線回転体面で形成して、美観を損ねる外観とせずに、積み重ね可能で且つ分離が容易な飲料用容器を提供できたものである。
【図面の簡単な説明】
【００１３】
【図１】本考案の実施形態の全体斜視図。
【図２】同積み重ね状態の正面図。
【図３】同断面図。
【考案を実施するための形態】
【００１４】
次に本考案の実施形態について説明する。実施形態に示したのは所謂マグボトルと称されている保温保冷容器で、その構造は、周知のとおり外側容器部ａと内側容器部ｂの二重構造にして、外側容器部ａと内側容器部ｂの上縁端部を上縁接合部ｃとし、内部を真空構造としたものである。
【００１５】
前記容器は、上方開口部１が大径で下方部分が徐々に小径として積み重ね可能な形状としたものである。特に外周面２及び内周面３を、積み重ねられる上段容器Ａが挿入される範囲Ｘにおいて、傾斜直線回転体面（円錐面）とせずに、所定の連続曲線回転体面に形成したものである。
【００１６】
前記の連続曲線回転体面は、外周面に上下二か所の係止湾曲膨出部４，５を備え、内周面に湾曲膨出受部６，７を設けたものである。即ち前記係止湾曲膨出部４，５は、その接線Ｙを結んだ際に、範囲Ｘにおいて当該係止湾曲膨出部４，５以外は接線Ｙより中心側に凹んでいるものである。
【００１７】
また湾曲膨出受部６，７は、内周面において前記接線Ｙと接する箇所で、係止湾曲膨出部４，５と径が一致し、且つ上下間隔が一致するもので、特に上方の湾曲膨出受部６は、上縁接合部ｃの直下の二重壁上端箇所に形成してなるものである。
【００１８】
而して前記の飲料用容器は、外観的に外周面が滑らかな曲線形状で美観的に優れたものとなり、上段容器Ａの係止湾曲膨出部４，５が、下段容器Ｂの内周面に湾曲膨出受部６，７に当接して積み重ねられることになる。
【００１９】
従って当該当接箇所以外には空隙ｄが存在することになり、積み重ね状態から容易に上段容器Ａを分離させることができるものである。
【符号の説明】
【００２０】
１      上方開口部
２      外周面
３      内周面
４，５    係止湾曲膨出部
６，７    湾曲膨出受部
ａ      外側容器
ｂ      内側容器
ｃ      上縁接合部
ｄ      空隙
Ａ      上段容器
Ｂ      下段容器
【図１】
0003188634.tif 000003
【図２】
0003188634.tif 000004
【図３】
0003188634.tif 000005
(57)【要約】      （修正有）【課題】二酸化炭素（ｃｏ２），放射能、地球に害になるものは一切出さない安全な発電装置を提供する。【解決の手段】太平洋、日本近海の、景観の損なわない、安全で防波堤になるような場所に、巨大海水ダムを造り、巾１０〜２０メートル、高さ５０〜１００メートル、長さ１キロメートルの、海水槽１を造り、海水槽に、満ち潮、引き潮、波、海面の浮き沈みに応じてピストン吊上げギアーを上下することにより給水し海水を満たし、海水槽の一部に放水口２を造り、海水の放出エネルギーを利用して発電機３を回す。【選択図】図１
0003188697.tif 000002
【実用新案登録請求の範囲】
【請求項１】
太平洋、日本近海の、景観の損なわない、安全で防波堤になるような場所に、巨大海水ダムを造る、大凡では有るが、巾１０〜２０メートル、高さ５０〜１００メートル、長さ１キロメートル等の海水槽を造り
実用新案登録第３１７３２２８号に伴い、満ち潮、引き潮、波、海面の浮き沈みに適応した、給水機に、昔あった、手押しポンプの原理を応用し、図２のポンプ吊上げギア、上下することにより、給水出来、又、図２機、図３機を、海水槽に連ねて設置する事も出来、流れ落ちる海水が、発電機を回す、又、海水槽の一部に、大きく排水出来る場所を造り大型発電機を回すよう考案したものである。
【考案の詳細な説明】
【技術分野】
【０００１】本考案は、日本近海の景観の害さない安全な、防波堤になる様な場所に、巨大海水ダムを造る
【背景技術】
【０００２】従来は、色々発電装置はあるが、天候に左右され、有害な二酸化炭素、放射能等の弊害が有る。
【考案の開示】
【考案が解決しようとする課題】
【０００３】今や、温暖化現象、地球崩壊の危機と騒がれている、二酸化炭素（ｃｏ２），放射能、等の対策は何もしてないような感じがする。政治、国際的にも、もっと強行に論じ合うべきだ。
【課題を解決するための手段】
【０００４】その為、本考案は、色々ある発電装置に不利な点、有ってはならない点を解消しようと考案したもので、最も地球に易しい安全な発電装置を提供する。
【考案の効果】
【０００５】気象の悪影響、二酸化炭素（ｃｏ２），放射能、等を一切出さない、地球と月が有る限り、永遠のエネルギーとして、人類に地球に安全な発電装置を考案しました。
【考案を実施するための最良の形態】
【０００６】以下、本発明の実施の形態について、図によって説明する。
（図１）の（１）巨大海水槽、、巾、１０〜２０メートル、高さ５０〜１００メートル、長さ、途中省略図にはなっているが、１キロメートル等の槽を造る、（２）大量放水口、（３）大型発電機、（４）図２にて説明、（５〜１４）図３にて説明【０００７】（図２）、満ち潮、引き潮、波、海面の浮き沈みに適応した、海水槽への給水機に、昔有った、手押しポンプの原理を応用し、円筒の中に、上下２か所に、弁の付いたピストンを組み入れ、そのピストンを上下させることにより、下部の弁で、海水を吸い上げ、上部の弁で押し上げ（１）の海水槽に給水する。【０００８】（２）重浮遊体（３）重浮遊体に取り付けた縦型ギア（４）大きい歯車は、縦型ギアに噛み合い（５）の歯車は、ポンプの水揚げ量によって大きさを変える事も出来る（６）ピストン吊上げ用ギア（７）ピストン用軸（８）円筒（９）ピストン（１０）下部の弁（１１）上部の弁（１２〜１３）水漏れストッパー（１４）発電機（１５）海面、満ち潮時【０００９】（図３）略（図２）と同じで有るが（５ａ）の歯車は、引き潮時も給水する用加えた。
【図面の簡単な説明】
【００１０】
【図１】巨大海水槽（１）に大量放水口（２）大型発電機（３）ポンプ汲み上げ機（４）海水吸い込み状態（５）発電機（１４）
【図２】海水槽（１）重浮遊体（２）縦型ギア（３）大型歯車（４）小型歯車（５）ピストン吊上げギア（６）ピストン用軸（７）円筒（８）ピストン（９）下部の弁（１０）上部の弁（１１）水漏れストッパー（１２〜１３）発電機（１４）
【図３】図２と説明は同じだが（５ａ）を付ける事により、図２の逆の働きをし、満ち潮時も引き潮時も給水出来る。発電機（１４）
【図１】
0003188697.tif 000003
【図２】
0003188697.tif 000004
【図３】
0003188697.tif 000005
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
太平洋、日本近海の、景観の損なわない、安全で防波堤になるような場所に、巨大海水ダムを造り、巾１０〜２０メートル、高さ５０〜１００メートル、長さ１キロメートルの、海水槽を造り、海水槽に、ピストン吊上げギアーを上下することにより給水し海水を満たし、海水槽の一部に放水口を造り、海水の放出エネルギーを利用して発電機を回す事を特徴とする発電装置。
(57)【要約】      （修正有）【課題】地震がおきた時は速やかに身をかくせる様、耐震性を向上したより安全で強度の有する地震対応免震テーブルを提供する。【解決手段】天板１と、脚フレーム２と、底板８と、を備え、前記脚フレーム２，３にストッパー付きキャスター１２，１３を取付けるとともに、底板８に吸盤弁３３を有する免震装置３２を取付けたことを特徴とする。【選択図】図３
0003188695.tif 000002
【実用新案登録請求の範囲】
【請求項１】
脚フレーム（２）と脚フレーム（３）にストッパー付きキャスター（１０）（１１）（１２）（１３）が取付てある構造のテーブル。
【請求項２】
手摺（３０）（３１）がテーブル構造体に組込れたテーブル。
【請求項３】
免震装置（３２）をテーブル構造体に組入れた地震対応免震テーブル。
【考案の詳細な説明】
【技術分野】
【０００１】大地震の際に大型電化製品、家具の転倒や天井物の落下
飛びちる食器などから身を守る為の地震対応免震テーブルです
【背景技術】
【０００２】一般住宅事情では、広知である地震シェルターは置く場所が無いので戴いても、いらない、死ぬ時は、私１人じゃないからあきらめるなどとの話がほとんどでありました
事が発生してから同様な事が二度と発生しない様にと対策を考えるものですが淡路直下大地震の様に耐震基準にパスした新築木造住宅でもすべて倒壊致しました。少なからずも下敷きと成り命を落す事に成っております  その様な事に成らない様にしたい日常生活において新たに場所を必要とせず現在使用されておる所を再活用する事に当り地震に対応出来る強度の有する地震対応免震テーブルの考案と成りました。
【先行技術文献】
【特許文献】
【０００３】脚フレーム（２）（３）及び地震対応免震テーブルにストッパー付きローラー（１０）（１１）（１２）（１３）及び手摺（３０）（３１）及び免震装置（３２）などを組入れて構成されたテーブルは、有りません。
【考案の概要】
【考案が解決しようとする課題】
【０００４】現在使用されている食卓、テーブルは地震対応構造に成っておらない為に地震対応地震シェルターとしての効果はあまり望めない。
【課題を解決するための手段】
【０００５】食卓、テーブルを地震対応構造にして、地震対応地震シェルターとしても使用出来る様にする為に強度の有する、脚フレーム（２）（３）脚補強フレーム（４）（５）を使用して、かつ免震装置（３２）を組入れる。
【考案の効果】
【０００６】地震対応構造にする事により食卓、テーブルが地震シェルターとして利用出来る事により人身、地震災害より多少のがれられる。
【図面の簡単な説明】
【０００７】
【図１】天井部の平面明細図
【図２】底部の平面明細図
【図３】脚フレーム（２）方向よりの立面の明細図
【図４】脚フレーム（４）方向よりの立面の明細図
【図５】斜視図
【考案を実施するための形態】
【０００８】六面体、サイコロ状に組あがった、地震対応免震テーブルを所定に置きます。
【実施例】
【０００９】すでに組あがっている、地震対応免震テーブルを所定に設置する  ストッパー付きキャスター（１０）（１１）（１２）（１３）をロックして、吸盤弁（３３）をしっかりとじて、テーブルを固定する。
【産業上の利用可能性】
【００１０】一般家庭に地震対応免震テーブルを多く提供出来れば資材及び製造などに活力をいる。
【符号の説明】
【００１１】  １  テーブルプレート
２  脚フレーム
３  脚フレーム
４  脚補強フレーム
５  脚補強フレーム
６  フラット板
７  フラット板
８  底板
９  吸盤
１０  ストッパー付きキャスター
１１  ストッパー付きキャスター
１２  ストッパー付きキャスター
１３  ストッパー付きキャスター
１４  ワッシャー付きボルト
１５  ワッシャー付きボルト
１６  ワッシャー付きボルト
１７  ワッシャー付きボルト
１８  ワッシャー付きボルト
１９  ワッシャー付きボルト
２０  ワッシャー付きボルト
２１  ワッシャー付きボルト
２２  ワッシャー付きボルト
２３  ワッシャー付きボルト
２４  ワッシャー付きボルト
２５  ワッシャー付きボルト
２６  木ネジ
２７  木ネジ
２８  木ネジ
２９  木ネジ
３０  手摺
３１  手摺
３２  免震装置
３３  吸盤弁
【図１】
0003188695.tif 000003
【図２】
0003188695.tif 000004
【図３】
0003188695.tif 000005
【図４】
0003188695.tif 000006
【図５】
0003188695.tif 000007
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
脚フレーム（２）と脚フレーム（３）にストッパー付きキャスター（１０）（１１）（１２）（１３）を取り付けて、免震装置（３２）において、免震を特徴とする
請求項１記載の地震対応免震テーブル。
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
天板（１）と、脚フレーム（２，３）と、底板（８）と、を備え、前記脚フレーム（２，３）にストッパー付きキャスター（１０，１１，１２，１３）を取付けるとともに、底板（８）に吸盤弁（３３）を有する免震装置（３２）を取付けたことを特徴とする地震対応免震テーブル。
(57)【要約】      （修正有）【課題】麗線という顔の口の回りの皺で悩んでいる人に、簡単に装着して簡単に取外せる、優れて、安価で美貌を保てる美容効果抜群の豊麗線ピースを提供する。【解決手段】人の顔の中央の鼻の横から口角に八の字に出る豊麗線という左右の皺を目立なくするため、左右の皺と角度を同じ形状にし、構造上、左右に出る八の字の豊麗線の皺に当る部分を口の中の上歯茎を通して一体に連結、連結した一体の道具を上歯茎に装着固定させることで皺を目立なくする。また、豊麗線という皺と同じ角度に連結した道具の八の字の皺に当る部分を、構造上多少山形に部厚くすることで、八の字の皺の箇所だけを口の中から押し上げ、八の字の皺を目立なくする。【選択図】図１
0003188692.tif 000002
【実用新案登録請求の範囲】
【請求項１】
本願考案は人の口の中に物、道具を装着して、顔の中央の鼻の横から口角に「ハの字」になる皺を目立なくする美容の補助道具である豊麗線ピースの提供、更により良い材料を追求する。
【請求項２】
本願考案は人の口の中に物、道具を装着するということで顔の皺を目立たなくするという特徴があるので形について変幻自在な豊麗線ピースの提供。
【考案の詳細な説明】
【技術の分野】
【０００１】人の顔の豊麗線という皺を目立たなくして、美しい容貌にするため、口の中に装着して美容の補助をする。豊麗線ピースを用いた美容の技術、
【背景技術】
【０００２】従来の豊麗線の皺については、特に女性の悩の種であった。その為に目立たなくする方法として、手術で皺を伸ばすか、皺の部分にシリコンを注入するか、化糖などで工夫するなど非常に苦労と金銭的負担がかかるなどの問題があった。
【先行技術文献】
【特許文献】
【０００３】
【特許文献１】先行技術に関して、くわしく調査をしたが、口の中に装着する道具としては、ボクシングなとでパンチの衝撃から歯を保護するために用いるマウスピース、潜水夫が酸素ボンベから酸素を吸い込むために用いるマウスピース、又は入歯、差し歯等であるが、人の口の中に装着して、豊麗線という顔の口の回りの「ハの字」の皺を目立たなくして、美しい美貌を保つための補助をする専用の道具、商品は先行技術で見当らない、
【考案の概要】
【考案が解決しようとする課題】
【０００４】本願考案は人の顔の中央の鼻の横から口角にかけて「ハの字」形に広がる豊麗線という皺で悩む人々に、口の中に簡単に装着でき、安全性を保ち、口の中の粘膜にやさしい材料を使い、長時間使用しても違和感のない、そして皺を目立たなく美しさを保持する道具の提供、
【課題を解決するための手段】
【０００５】本願考案の豊麗線ピースは直接人の口の中に装着して、豊麗線という皺の度合をやわらげるための補助道具のため、人様の口に入れても安心で安全なシリコン、ポリオレフィン、ポリエチレンビニールアセテートなどの材料を使用、簡単、安全、やさしい、違和感なしの道具の提供、
【考案の効果】
【０００６】本願考案の豊麗線ピースは、特に中高年の女性が、顔の中央の鼻の横から口角の皺を気にする傾向がある、老けて見えることが原因の一つと考えられる。本願考案は、簡単に口の中に装着して、簡単に取外し、洗浄して何回も使用可能で、安価で美しく美貌を保ち続けられる、多くの女性が待ち望んだ画期的美容の補助道具として、必要とする人に感謝され、効果は絶大であると確心する。
【図面の簡単な説明】
【０００７】
【図１】全体を示した姿図、
【図２】図１の▲１▼を切断した切断図と切断した▲３▼の断面図、▲１▼の形状、
【図３】図１の姿が点線のように変形する図、
【考案を実施するための形態】
【０００８】図１で示した姿図を基本として、シリコンやポリエチレンビニールアセテートなどの軟質弾性材を組合せ、図３のように口の中で変形させる、形態は図１、
【実施例】
【０００９】図１の形の試作品を作り、口の中に装着し、皺の状態を実際に試みて実際に話をしたり、コーヒーなども飲料した。年齢より若く見えた。
【産業上の利用可能性】
【００１０】本願考案の豊麗線ピースの産業上の生産を営む価値は模大なものと考える。更に専門的な創造で生産は増大、本願考案の豊麗線ピースを利用する女性は増大の傾向にあることは疑いないものと考える。
【符合の説明】
▲１▼        ▲１▼は口の回りのハの字の皺の内側で皺を押し上げる。
▲２▼        ▲２▼口の上の歯茎に密着する部分、
▲３▼        ▲３▼は▲１▼が丸みで皺の部分が一番高くなる
▲４▼        ▲４▼は図１が図３の点線のように変形することの説明、
【図１】
0003188692.tif 000003
【図２】
0003188692.tif 000004
【図３】
0003188692.tif 000005
【手続補正書】
【提出日】平成25年9月2日(2013.9.2)
【手続補正１】
【補正対象書類名】実用新案登録請求の範囲
【補正対象項目名】全文
【補正方法】変更
【補正の内容】
【実用新案登録請求の範囲】
【請求項１】
本願考案は図１、図３の形状の豊麗線ピースを粘着性のある素材を用いて、人の口の上歯茎に簡単に装着、上歯茎に個定させることで、装着して、話をしたり、物を食べたり、液体を飲料しても違和感も支障も無く、図３の▲４▼で変形する豊麗線ピースを装着することで豊麗線という皺を目立なくし、若く見せる為に口の中に道具を装着することを特徴とする豊麗線ピース。
【請求項２】
本願考案は図１、図３のような道具を、人の口の上歯の歯茎に装着して、顔の中央の鼻の横から口角に「ハの字」に出る豊麗線という皺を、図３の▲４▼のように自在に変形する素材を用い、弾力性と柔軟性で口の粘膜を保護、上歯茎を保つため粘着の素材で個定させた豊麗線ピースを、構造上、図２の▲３▼のように山形になる部分が豊麗線の皺の下部に当るようにすることで、豊麗線の皺を口の中から押し上げ、豊麗線の皺を目立なくすることを特徴とする美容補助道具の豊麗線ピース。
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
本願考案は、人の顔の中央の鼻の横から口角に八の字に出る豊麗線という左右の皺を目立なくするため、左右の皺と角度を同じ形状にし、構造上、左右に出る八の字の豊麗線の皺に当る部分を口の中の上歯茎を通して一体に連結、連結した一体の道具を上歯茎に装着固定させることで皺を目立なくすることを特徴とする豊麗線ピース。
【請求項２】
本願考案は、豊麗線という皺と同じ角度に連結した道具の八の字の皺に当る部分を、構造上多少山形に部厚くすることで、八の字の皺の箇所だけを口の中から押し上げ、八の字の皺を目立なくすることを特徴とする豊麗線ピース。
(57)【要約】      （修正有）【課題】一枚のシートで折りたたみポケット付きファイルを作成すると、筋と筋が重なる部分は歪に依って見栄えが悪くなるので歪が出ないようにしたポケット付きファイルを提供する。【解決手段】二つ折りにして表紙を形成するための縦筋ニと折り返して下部にポケットを形成するための横筋イとを設けた長方形のシートＡを、横筋と縦筋をこの順に折り返して形成されるポケット付きファイルにおいて、ポケットの縦筋に重なる縦筋部分と縦筋と横筋とが交差する部分Ｂとをくりぬいて筋による歪を除去したことを特徴とする。【選択図】図１
0003188693.tif 000002
【実用新案登録請求の範囲】
【請求項１】
表紙の二つ折り用の筋でポケット用の筋と干渉する部分を、くり抜いたポケット付きファイル。
【請求項２】
請求項１に於いてファイルにする前段階のシート。
【考案の詳細な説明】
【技術分野】
【００１】シートの打ち抜き加工によって作るファイル。
【背景技術】
【００２】クリアファイル、二つ折りの紙製ファイル等、少量の書類を持ち運びするのに使用するファイル用のシート。
【考案の概要】
【考案が解決しようとする課題】
【００３】  ポケットを設ける為にシート下部を折り返してポケットを作り、二つ折りにすると出来上がるのですが、折り紙の厚みだと目立たないのですが、厚紙やプラスチックシートを使用すると歪が目立ち製品の見栄えが悪くなる、ポケットを作る事による歪が起きない形状にする事。
【課題を解決するための手段】
【００４】ポケットにする為の筋とファイルにする為の二つ折り用の筋が干渉しない様にする為に折り返してポケットを作ると二つ折りの筋とポケット用の筋が干渉する部分が出来るので、二つ折りの筋の下部のうちポケット用の筋と干渉する部分をくり抜いた形状にします。
【考案の効果】
【００５】ポケット用の筋と二つ折り用の筋が干渉しないので、見栄えが改善出来る。
【図面の簡単な説明】
【００６】
【図１】本考案の展開図です。
【図２】完成図です。
【符号の説明】
【００７】Ａ、          外形
Ｂ、          くり抜き部分
イ、          シート下部ポケット用筋
ロ、          シート下部ポケット用筋
ハ、          二つ折り筋（ポケット用）部分
ニ、          二つ折り筋（表紙用）部分
【図１】
0003188693.tif 000003
【図２】
0003188693.tif 000004
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
線対称の縦筋（表紙の二つ折り用の筋プラス、ポケット用の筋）と表紙の下部をポケットにする為に横筋を設けます、横筋を谷折りした時、ポケット用の筋に重なる部分と筋が交差する部分をくりぬいて筋による歪を除去した両ポケファイル。
【請求項２】
請求項１に於いて両ポケファイルを展開して、平らな状態にした両ポケファイル。
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
二つ折りにして表紙を形成するための縦筋と折り返して下部にポケットを形成するための横筋とを設けた長方形のシートを、横筋と縦筋をこの順に折り返して形成されるポケット付きファイルにおいて、ポケットの縦筋に重なる縦筋部分と縦筋と横筋とが交差する部分とをくりぬいて筋による歪を除去したポケット付きファイル。
【請求項２】
展開して平らな状態とすることが可能な請求項１記載のポケット付きファイル。
(57)【要約】      （修正有）【課題】良好な弾性と適度な重量を併せもつツーピース型ゴルフクラブヘッドを提供する。【解決手段】ヘッド主体部１０は、開口１８に底部ユニット２０が嵌合する。ヘッド主体部１０は、頂面１１の周りに位置する周面１２と、頂面１１の一側に形成されたネック部１６と、周面１２の底端に形成された開口１８と、周面１２の一部から形成された打球面１３とを有する。ヘッド主体部１０は、打球面１３の底辺から伸びて形成された底面１４を有し、底面１４は一端に突起辺縁部１５を有し、周面１２は底端に突起辺縁部１７を有し、周面の突起辺縁部１７と底面の突起辺縁部１５とは繋がり、環状突起辺縁部を構成する。底部ユニット２０は、ヘッド主体部１０の周面１２の底辺に装着され、周りに突起辺縁部２２を有する。この突起辺縁部２２は、ヘッド主体部１０の周面の突起辺縁部１７に連結される。【選択図】図２
0003188621.tif 000002
【実用新案登録請求の範囲】
【請求項１】
ヘッド主体部と、該ヘッド主体部の開口に嵌合する底部ユニットとを備え、
ヘッド主体部は、頂面と、頂面の一側に形成されたネック部と、頂面の周りから一側へ伸びて形成された周面と、周面の一部から形成された平坦な打球面と、打球面の底辺から伸びて形成された底面とを有し、底面は一端に突起辺縁部を有し、周面は底端に突起辺縁部を有し、周面の突起辺縁部と底面の突起辺縁部とは繋がって環状突起辺縁部を構成し、
底部ユニットは、ヘッド主体部の周面の底辺に装着され、周りに突起辺縁部を有し、底部ユニットの突起辺縁部は主体部の周面の突起辺縁部に連結されることを特徴とするツーピース型ゴルフクラブヘッド。  
【請求項２】
底部ユニットの突起辺縁部は、主体部の突起辺縁部の外側に被さることを特徴とする請求項１に記載のツーピース型ゴルフクラブヘッド。  
【請求項３】
底部ユニットは、一側の辺縁に嵌合溝を有し、それ以外の辺縁に突起辺縁部を有し、突起辺縁部および嵌合溝は繋がるように底部ユニットの辺縁に位置付けられることを特徴とする請求項１に記載のツーピース型ゴルフクラブヘッド。  
【請求項４】
底部ユニットの嵌合溝は、打球面の底面の突起辺縁部と噛み合うことを特徴とする請求項３に記載のツーピース型ゴルフクラブヘッド。
【考案の詳細な説明】
【技術分野】
【０００１】
本考案は、ゴルフクラブヘッド、特にツーピース型ゴルフクラブヘッドに関するものである。
【背景技術】
【０００２】
一般に、ゴルフクラブを振ってボールを打つ際の操作性を向上させるために、ゴルフクラブヘッドの重心は低ければ低いほどよい。重心を降下させるには、製造工程において比重が比較的大きい材料、例えばステンレスを採用すればヘッドの重心を降下させることができる。しかしながら、比重が大きい材料は比較的硬いため、弾性が良くない。一方、クラブヘッドの弾性を向上するには弾性が比較的良い材料、例えばチタンを使用しなければならない。しかしながら、弾性の良い材料は一般に重量が不足する。従って、ゴルフクラブヘッドを製作する際、上述した二つの難問に臨まなければならない。
【考案の概要】
【考案が解決しようとする課題】
【０００３】
本考案は、上述した問題点に鑑み、良好な弾性と適度な重量を併せもつツーピース型ゴルフクラブヘッドを提供することを主な目的とする。
【課題を解決するための手段】
【０００４】
上述の目的を達成するために、本考案によるツーピース型ゴルフクラブヘッドは、ヘッド主体部および底部ユニットを備える。ヘッド主体部は頂面と、頂面の周りに位置する周面と、頂面の一側に形成されたネック部と、周面の底端に形成された開口と、周面の一部から形成された打球面とを有する。ヘッド主体部は、打球面の底辺から伸びて形成された底面を有し、底面は一端に突起辺縁部を有し、周面は底端に突起辺縁部を有し、周面の突起辺縁部と底面の突起辺縁部とは繋がり、環状突起辺縁部を構成する。
底部ユニットは、ヘッド主体部の周面の底辺に装着され、周りに突起辺縁部を有する。この突起辺縁部は、ヘッド主体部の周面の突起辺縁部に連結される
【図面の簡単な説明】
【０００５】
【図１】本考案の一実施形態によるツーピース型ゴルフクラブヘッドを示す斜視図である。
【図２】本考案の一実施形態によるツーピース型ゴルフクラブヘッドを示す分解図である。
【図３】本考案の一実施形態によるツーピース型ゴルフクラブヘッドを示す断面図である。
【考案を実施するための形態】
【０００６】
以下、本考案によるツーピース型ゴルフクラブヘッドを図面に基づいて説明する。
（一実施形態）
図１から図３に示すように、本考案の一実施形態によるツーピース型ゴルフクラブヘッドは、ヘッド主体部１０および底部ユニット２０を備える。
【０００７】
ヘッド主体部１０は、頂面１１と、頂面１１の周りから一側へ伸びて形成された周面１２と、周面１２の一部から形成された打球面１３と、打球面１３の底辺から伸びて形成された底面１４と、底面１４の一端に形成された打球面側の突起辺縁部１５および反打球面側の突起辺縁部１７とを有する。ヘッド主体部１０の頂面１１は一側にネック部１６を有する。ネック部１６はシャフト（図中未表示）に連結される。周面１２は底端に形成された突起辺縁部１７を有する。周面１２の突起辺縁部１７と底面１４の突起辺縁部１５とは環状に繋がり、開口１８を有する突起辺縁部１５、１７を構成する。
【０００８】
底部ユニット２０は、一側の辺縁に嵌合溝２１を有し、それ以外の辺縁に突起辺縁部２２を有する。突起辺縁部２２および嵌合溝２１は環状に繋がるように底部ユニット２０の辺縁に位置付けられる。底部ユニット２０はヘッド主体部１０の周面１２の底辺に装着される。底部ユニット２０の嵌合溝２１と打球面１４の突起辺縁部１５とが噛み合う際、底部２０は打球面１３から離れた方の一側が突起辺縁部２２によってヘッド主体部１０の突起辺縁部１７に当接する。このとき底部ユニット２０の突起辺縁部２２はヘッド主体部１０の突起辺縁部１７に被さる。
【０００９】
底部ユニット２０およびヘッド主体部１０を固定する際、溶接または爆発溶接など連結方式を採用することができる。底部ユニット２０およびヘッド主体部１０は二つの別々の付属品であるため、構造および材料が一致しなくてもよい。ヘッド主体部１０を製造する際、底部ユニット２０に使用した材料または比重によってヘッドの重量を変えるか、異なる物理特性を果たすことができる。
【００１０】
一方、ヘッド主体部１０の打球面１３、底面１４および頂面１１は一体構造物であるため、打球面１３は頂面１１および底面１４によって支えられ、良好な変形復元力を果たすことができる。言い換えれば、ボールを打つ際、打球面１３は良好な弾性を果たすことができる。従って、本考案の上記実施形態によるツーピース型ゴルフクラブヘッドは従来の製品の欠点を有効的に改善し、製造上の問題を解決することができる。
【符号の説明】
【００１１】
１０：ヘッド主体部、  
１１：頂面、  
１２：周面、  
１３：打球面、  
１４：底面、  
１５：突起辺縁部、  
１６：ネック部、  
１７：突起辺縁部、  
２０：底部ユニット、  
２１：嵌合溝、  
２２：突起辺縁部。
【図１】
0003188621.tif 000003
【図２】
0003188621.tif 000004
【図３】
0003188621.tif 000005
(57)【要約】      （修正有）【課題】よりフィット感が良く、しかも着用者の頭部の個人差に対応し、スタイルの作りやすいかつらや部分かつらが得られるかつらベースを提供する。【解決手段】かつらベース１全体が網状の伸縮素材から成り、かつらベース１の両サイド部から襟足部分に帯状の伸縮性ストレッチレース３を縫製する。 【選択図】図１
0003188649.tif 000002
【実用新案登録請求の範囲】
【請求項１】
全体が網状の伸縮素材から成るかつらベースにおいて、該かつらベースの両サイド部から襟足部分に帯状の伸縮性ストレッチレースを縫製したことを特徴とするかつらベース。
【考案の詳細な説明】
【技術分野】
【０００１】
本考案は、着脱可能なかつら又は部分かつら用のかつらベースに関する。
【背景技術】
【０００２】
かつらは一般に頭髪の生え際に沿って頭全体を覆うように形成されたかつらベースに、人毛や人工毛を植毛や縫着によって構成されている。また、部分かつらは一般に頭髪の薄い部位を補うため、かつらベースに人毛や人工毛を植毛して構成されている。
【０００３】
このようなかつらは、オーダーメードにより作られる場合を除けば平均的なサイズで作られているため、全ての人にフィットすることは稀であり、着用者はヘアピン等を使用して装着後の調節を行っており、着用者の様々な頭のサイズや形状にフィットしたかつら及び部分かつらが要望されている。
【先行技術文献】
【特許文献】
【０００４】
【特許文献１】実用新案登録３０６５０９５
【特許文献２】特開２００７−２１７８５０
【考案の概要】
【考案が解決しようとする課題】
【０００５】
上記のように従来のかつらベースは、着用者の頭部形状、サイズ、頭髪の有無や量などの個人差を満足するものではなかった。そこで本考案は、従来のかつらや部分かつらよりも、よりフィット感が良く、しかも着用者の頭部の個人差に対応し、スタイルの作りやすいかつらや部分かつらが得られるかつらベースを提供することを目的とする。
【課題を解決するための手段】
【０００６】
上記課題を解決するため、本考案は、かつらベース全体が網状の伸縮素材から成り、該かつらベースの両サイド部から襟足部分に帯状の伸縮性ストレッチレースを使用したかつらベースを提供する。
【考案の効果】
【０００７】
上述したように本考案のかつらベースは、両サイドの耳付け根部から襟足部分にかけて帯状の伸縮性ストレッチレースを使用したため、着用者の頭部形状、サイズ、頭髪の有無や量にかかわらずピッタリとフィットするという効果が得られるものである。また、従来のかつらベースに比べ弛みの発生もなく、かつらのスタイル及びシルエットがきれいに見えるという効果も併せて得られるものである。
【図面の簡単な説明】
【０００８】
【図１】本考案のかつらベースの側面図である。
【図２】本考案のかつらベースの裏側平面図である。
【考案を実施するための形態】
【０００９】
本考案の実施の形態を図面に基づいて詳細に説明する。図１ は本考案の実施形態に係わるかつらベースの側面図である。図１において、１ はかつらベースであり、このかつらベース１の表面には図示せぬ人毛又は人工毛が植毛又は縫着されている。２ はステイ部であり、ここでかつらベース１を頭部の左右こめかみ部に固定している。なお、ステイ部２には図示せぬ調整金具を有している場合もある。３は伸縮性を有するストレッチレースであり、ポリウレタンやナイロン等を使用した伸縮性を有する網状の素材から作られ、かつらベース１のステイ部２後方から襟足部分にかけて帯状に縫製形成されている。
【００１０】
図２は本考案のかつらベースの裏側平面図である。図２において、かつらベース１の前頭側には、かつらベース１を頭髪に固定するためのストッパー４が取り付けられている。また、ストレッチレース３にもストレッチレース３を頭髪に固定するためのストッパー４が適宜設けられている。
【符号の説明】
【００１１】
１  かつらベース
２  ステイ部
３  ストレッチレース
４  ストッパー
【図１】
0003188649.tif 000003
【図２】
0003188649.tif 000004
(57)【要約】      （修正有）【課題】のぼり表示内の商材や提供サービス等と連動した形状に成形し、視覚記号化することで国籍や年齢を問わず、視認性の向上を可能とするのぼり旗を提供する。【解決手段】のぼり本体の上部１及び側面２及び下部３の全部又は一部を、商材や提供サービス等に沿った形状に成形し、更にデザイン処理をすることでピクトグラム化し、形状そのものを視覚記号化する。【選択図】図１
0003188675.tif 000002
【実用新案登録請求の範囲】
【請求項１】
のぼり旗であって、前記のぼり旗の支持部と、基本的な形状部及び基本形状とは異なる視覚記号化部を備え、前記支持部と前記基本形状部と前記視覚記号化部を合わせた全体の
デザインをピクトグラム化したことを特徴とするのぼり旗。
【請求項２】
前記のぼり旗の視覚記号化部に、英語によるに説明表記がされたことを特徴とする請求
項1に記載ののぼり旗。
【考案の詳細な説明】
【技術分野】
【０００１】
本考案は、のぼり旗を設置者又は広告主の意図に合わせて視覚記号に変形したのぼり
に関するものである。特に視覚化部には前記設置者又は広告主の表示意図が英語で表記さ
れ、ピクトグラム化された全体的なデザインと共に、視認性を向上せしめるのぼり旗に関
する。
【背景技術】
【０００２】
図2に示すように、従来ののぼり旗の多くは長方形を基準とした形態をしており、ま
た一部存在する変形型ののぼりであっても、定型での成形を基準とし、商材や告知内容と
のぼりの形が連動し、形状から表示内容が一目で視認できない。
【先行技術文献】
【特許文献】
【０００３】
【特許文献１】特開2013-3398号  公報
【考案の概要】
【考案が解決しようとする課題】
【０００４】
のぼり旗の本来の意義は、誰もが、又は遠方からでも、その設置位置の商材や提供サービス及び意図等を知り得ることにあるが、現状ののぼり旗の場合、形状でそれらを認
識することが不可能であり、大きな課題である。従って、のぼり旗の形状自体を設置意図
等と連動させることで視覚記号化し、視認性を向上せしめることで、前述の課題を解決し
ようとするものである。
【課題を解決するための手段】
【０００５】
本考案では、のぼり本体の上部及び側面及び下部を、設置者又は広告主の意図する商
材や提供サービス等に沿った形状に成形し、更にデザイン処理を施すことでピクトグラム
し、形状そのものを視覚記号化することで、問題点を解決している。
【考案の効果】
【０００６】
上述の様に、本考案ののぼり旗は、のぼりの形状そのものが視覚記号化されているこ
とから、国籍や年齢を問わず視認が可能であることは勿論、告知面は現状に近い状態で残
ることから従前ののぼり旗の機能性を損なうこともない。また、のぼり旗の素材及びポー
ル等の付属品は市版製品での対応が可能な為、のぼり旗の利点である低価格での提供も可
能としている。
【図面の簡単な説明】
【０００７】
【図１】本考案のピクトグラム化したのぼりの一実施例を示す正面図である。
【図２】一般的なのぼり旗（特開２００１−１８８４９２号）の構成を示す図である。
【考案を実施するための形態】
【０００８】
のぼり表示部の内容を確認後、表示部及び視覚記号部を含めた全体のデザインを構成
し、裁断後の強度を踏まえて全体サイズ、成形サイズ及び素材を選択する。その後、成形
する部分について専用の裁断機を用い、デザインに沿って成形し、全体を視覚記号化す
る。
【実施例】
【０００９】
以下、添付図に従って一実施例を説明する。実施例1は、本考案のピクトグラム化し
たのぼりの一実施例を示す正面図である。
【００１０】
図1の1は、のぼり旗上部を示し、図1の２は前記のぼり旗の側面、図1の３は前記のの
ぼり旗の下部を示す。本考案では、この３箇所又はその一部について商材等に沿った形状
に成形し、全体を視覚記号化することで、ひとめでのぼり旗の表示内容が判別できるよう
にする。
【００１１】
図1の４はのぼり旗の支持部である。この部分には、図2の11に示す支持棒との連結を
図るチチを要するが、その位置は全体の成形サイズ及びデザインにより図1の4の範囲内で
自由に設置位置を移動することができる。
【００１２】
また、図1の1に設置するチチの設置位置についても、前述の記載と同様である。
【００１３】
図1の５は、視覚記号化部に記載する英語表記の一実施例である。この表示により、本考案における視覚記号化の意図である、国籍を問わず視認性を高める役割を補完する。
【００１４】
図２の１２は、従来ののぼり旗と同様に、商材等の表示部分である。この部分は従来
ののぼり旗と同様の活用が可能であり、同等の機能性を有する。
【００１５】
図２の１１はのぼり旗の支持棒を示す。のぼり旗の支持棒素は従来の用具を使用する
ことが可能であり、のぼり旗の利点のひとつである価格競争力を保持する。
【符号の説明】
【００１６】
1     のぼり旗上部
2     のぼり旗側面
3     のぼり旗下部
4     のぼり旗の支持部
5     英語表示部
11  支持棒
12  商材等の表示部
【図１】
0003188675.tif 000003
【図２】
0003188675.tif 000004